(57)【要約】【課題】  本発明は各々の画像について、ユーザが画像内容の確認や説明の記述を行わなくても、年表作成と文章生成の所定のルールに従って自動的に各々の画像を利用した自分史を作成することができる自分史作成支援装置を提供することを目的とする。【解決手段】  ユーザが所有する画像を保存する画像保存部と、画像保存部に保存された各々の画像に対して複数の画像解析処理を実施する画像解析部と、画像解析部による各々の画像に対する各々の画像解析処理の結果に基づいて、各々の画像を利用して個人年表を作成する年表作成部と説明文章を生成する文章生成部とを備えた自分史作成支援装置。【選択図】図２
2019135636.tif 000002
【特許請求の範囲】
【請求項１】
ユーザが所有する画像を保存する画像保存部と、前記画像保存部に保存された各々の画像に対して複数の画像解析処理を実施する画像解析部と、前記画像解析部による各々の画像に対する各々の画像解析処理の結果に基づいて、前記各々の画像を利用して年表の作成をおこなう年表作成部と文章の生成をおこなう文章生成部を備えることを特徴とする自分史作成支援装置。
【請求項２】
前記画像解析部は、前記各々の画像に対する各々の画像解析処理の結果にスコアを付け、前記複数の画像解析処理の結果のスコアの組合せスコアを算出するものであり、前記年表作成部と前記文章生成部は、前記画像解析部により算出された組合せスコアに基づいて、前記各々の画像を利用した年表作成と文章生成をおこなうものである請求項１に記載の自分史作成支援装置。
【請求項３】
前記年表作成部と前記文章生成部は、前記組合せスコアが所定値以上の画像を利用するものである請求項２に記載の自分史作成支援装置。
【請求項４】
前記画像解析部は、前記画像解析処理として、前記各々の画像に撮影された人物の顔（顔領域）の大きさの人物比率を検出する顔検出処理を実施するものであり、前記年表作成部と前記文章生成部は、前記画像解析部による顔検出処理の結果に基づいて、前記各々の画像を利用した年表作成と文章生成をおこなうものである請求項１に記載の自分史作成支援装置。
【請求項５】
前記画像解析部は、前記画像解析処理として、前記各々の画像に撮影された人物の年齢を判定する場合、顔画像の鮮明化処理と登録された人物の年齢が明確な複数枚の顔画像を追加学習させて、個人差による年齢を補正することで年齢判定の推定精度を改善して、年齢判定処理を実施するものである請求項４に記載の自分史作成支援装置。
【請求項６】
前記年表作成部は、前記画像解析部による年齢判定処理の結果と、あらかじめ登録された人物の生年月日に基づいて、前記各々の画像を利用した年表作成をおこなうものである請求項４に記載の自分史作成支援装置。
【請求項７】
前記画像解析部は、前記画像解析処理として、前記各々の画像に撮影された人物の表情を判定する表情判定処理を実施するものであり、前記文章生成部は、前記画像解析部による表情判定処理の結果に基づいて、前記各々の画像を利用した文章生成をおこなうものである請求項４に記載の自分史作成支援装置。
【請求項８】
自分自身が撮影された画像を利用した年表作成と文章生成したいユーザを登録する人物登録部を備え、前記画像解析部は、前記画像解析処理として、前記各々の画像に撮影された人物を認識する人物認識処理を実施するものであり、前記年表作成部と前記文章生成部は、前記画像解析部による人物認識処理の結果に基づいて、前記人物登録部にあらかじめ登録されたユーザが撮影された画像を利用した年表作成と文章生成をおこなうものである請求項４に記載の自分史作成支援装置。
【請求項９】
前記画像解析部は、前記画像解析処理として、前記各々の画像に撮影された人物の背景に基づいて、各々の写真の背景分類とスコア付けを実施するものであり、文章生成部は、前記画像解析部の背景分類の結果に基づいて、前記各々の画像を利用した文章生成をおこなうものである請求項２に記載の自分史作成支援装置。
【請求項１０】
前記画像解析部は、前記画像解析処理として、前記各々の画像に撮影された人物の行動に基づいて、各々の写真の行動分類とスコア付けを実施するものであり、文章生成部は、前記画像解析部の行動分類の結果に基づいて、前記各々の画像を利用した文章生成をおこなうものである請求項２に記載の自分史作成支援装置。
【請求項１１】
前記画像解析部は、前記画像解析処理として背景分類処理および行動分類処理の結果、類似した画像を判定する類似画像判定処理を実施するものであり、前記文章生成部は、前記画像解析部による類似画像判定処理の結果に基づいて、前記の類似した画像を利用してまとめて年表作成と文章生成をおこなうものである請求項１に記載の自分史作成支援装置画像。
【請求項１２】
前記各々の画像に対して画像処理を実施する画像処理部を備え、前記画像解析部は、前記画像処理部による画質改善処理後の画像に対して画像解析処理を実施するものである請求項１〜１１のいずれかに記載の自分史作成支援装置。
【請求項１３】
前記ユーザ通信端末は、自分史の情報を閲覧または視聴する機能を備え、カメラ機能で撮影した人物が人物登録部に登録されている家族と一致した場合や撮影日が誕生日などの記念日と一致した場合、ＧＰＳ機能で現在位置が画像保存部に保存されている画像の撮影場所に一致または近づいた場合、現在の日付が記念日に近づいた場合に、前記ユーザ端末経由でユーザに家族や記念日や場所の情報を通知して自分史の編集や新規追加をおこなう請求項１に記載の自分史作成支援装置画像。
【請求項１４】
前記年表作成部と文章生成部は、前記各々の画像の利用を、３段階以上の設定で決定するものである請求項１〜１３のいずれかに記載の自分史作成支援装置。
【請求項１５】
年表作成部と文章生成部は、各々の画像の利用の設定を、不特定多数の人物に自分史を公開する一般用、あらかじめ登録された人物に自分史を公開する家族用、ユーザ専用の自分史とする個人用の３段階の設定で使用するものである請求項１４に記載の自分史作成支援装置。
【請求項１６】
前記画像保存部、前記画像解析部、および、前記年表作成部と文章生成部は、通信機能を有する通信端末に実装されていることを特徴とする請求項１〜１５のいずれかに記載の自分史作成支援装置。
【発明の詳細な説明】
【技術分野】
【０００１】本発明は、各々のユーザが所有する画像から自分史を作成する場合に利用可能な年表作成システム、文章生成システム、自分史作成支援システムに関するものである。
【背景技術】
【０００２】各々のユーザが所有する画像や映像から自分史を作成する場合には、画像毎の撮影日と撮影場所を特定して、画像の内容に対して説明文章を記述して、画像と説明文章を時系列に並べることになる。【０００３】ユーザが所有する画像に撮影日と撮影場所のデータが記録されていない場合、例えば日付表示がない紙焼き写真の場合は、ユーザ自身の記憶を基に撮影日と撮影場所を思い出して特定する作業と画像の内容を記述する作業が必要となる。
【先行技術文献】
【０００４】
【特許文献】
【０００５】
【特許文献１】特開２０１２−１４１８３２
【発明の概要】
【発明が解決しようとする課題】
【０００６】ユーザが高齢者の場合は所有する多くの古い画像には撮影日と撮影場所が記録されていなく、過去の出来事に関する記憶が不明瞭であり、画像毎の撮影日と撮影所を元に自分史を作成することは精神的負担が、自分史の作成代行を業者に依頼する場合はインタビューや質問に掛かる時間的負担と経済的負担が発生して、自分史が普及するための妨げとなっている。【０００７】本発明は、ユーザが過去の出来事に関する記憶が不明瞭で自分史を作成する場合において、画像解析を行うことで撮影日と撮影場所を推定して画像の内容に関する文章を生成して、時系列に画像と文章を編集することを実現する、年表作成部、文章生成部、自分史作成支援システムを提供することを目的とする。
【課題を解決するための手段】
【０００８】上記目的を達成するために、本発明は、ユーザが所有する画像を保存する画像保存部と画像保存部に保存された各々の画像に対して複数の画像解析処理を実施する画像解析部と、画像解析部による各々の画像に対する各々の画像解析処理の結果に基づいて、各々の画像の撮影日と撮影場所と撮影内容から年表作成部と文章生成部を備えることを特徴とする自分史作成支援システムを提供するものである。【０００９】ここで、画像解析部は、各々の画像に対する各々の画像解析処理の結果にスコアを付け、複数の画像解析処理の結果のスコアの組合せスコアを算出するものであり、年表作成部と文書生成部は、画像解析部により算出された組合せスコアに基づいて、各々の画像に関する年表の作成と文章の生成するものであることが好ましい。【００１０】また、年表作成部と文書生成部は、組合せスコアが所定値以上の画像を対象とするものであることが好ましい。【００１１】また、画像解析部は、画像解析処理として、各々の画像に撮影された人物の顔を検出する顔検出処理を実施するものであり、年表作成部と文章生成部は、画像解析部による顔検出処理の結果に基づいて、各々の画像の利用を決定するものであることが好ましい。【００１２】また、画像解析部は、画像解析処理として、各々の画像に撮影された人物の年齢を推定する年齢推定処理を実施するものであり、年表作成部と文章生成部は、画像解析部による年齢推定処理の結果に基づいて、各々の画像の利用を決定するものであることが好ましい。【００１３】さらに、画像に撮影されている複数の人物を登録する人物登録部を備え、画像解析部は、画像解析処理として、各々の画像に撮影された人物を認識する人物認識処理を実施するものであり、年表作成部と文章生成部は、画像解析部による人物認識処理の結果に基づいて、人物登録部にあらかじめ生年月日と撮影日が明確な複数枚の顔写真を登録したユーザが撮影された画像の利用を決定するものであることが好ましい。【００１４】また、画像解析部は、画像解析処理として、類似した画像を判定する類似画像判定処理を実施するものであり、年表作部と文章生成部は、画像解析部による類似画像判定処理の結果に基づいて、各々の画像の利用を決定するものであることが好ましい。【００１５】また、画像解析部は、各々の画像に対する各々の画像解析処理の結果にスコアを付け、複数の画像解析処理の結果のスコアの組合せスコアを算出するものであり、年表作成部と文章生成部は、画像解析部により検出された複数の類似画像の中から、画解析部により算出された組合せスコアが最も高い画像の利用を決定するものであることが好ましい。【００１６】さらに、各々の画像に対して画像処理を実施する画像処理部を備え、画像解析部は、画像処理部による画質改善処理後の画像に対して画像解析処理を実施するものであることが好ましい。【００１７】また、年表作成部と文章生成部は、各々の画像の利用を、３段階以上の設定決定するものであることが好ましい。【００１８】また、年表作成部と文章生成部は、各々の画像の利用の設定を、不特定多数の人物に自分史を公開する一般用、画像に撮影されているあらかじめ登録された人物（家族など）にのみ自分史を公開する家族用、ユーザ専用の自分史とする個人用の３段階の設定で使用するものであることが好ましい。
【発明の効果】
【００１９】本発明によれば、各々の画像に対して、複数の画像解析処理の結果の組合せスコア、顔検出処理の結果、類似画像判定処理の結果等を含む、複数の画像解析処理を実施した結果に基づいて、年表作成と文章生成を各々の画像に対して自動的におこなう。そのため、ユーザが各々の画像に対して内容の確認と記述を行う必要がなく自分史を作成することができる。
【図面の簡単な説明】
【００２０】
【図１】本発明の自分史作成支援システムの構成を表す一実施形態の概略図である。
【図２】図１に示す画像管理サーバの構成を表すブロック図である。
【図３】図２に示す画像解析部で実施される画像解析処理を表す概念図である。
【図４】顔検出処理の様子を表す概念図である。
【図５】推定年齢の補正を表す概念図である。
【図６】年表作成と文章生成の具体例である。
【発明を実施するための形態】
【００２１】以下に、添付の図面に示す好適実施形態に基づいて、本発明の自分史作成支援システム、年表作成方法、文章生成方法、および、プログラムを詳細に説明する。
【００２２】  まず、自分史作成支援システムの構成について説明する。
【００２３】  図１は、本発明の自分史作成支援システムの構成を表す一実施形態の概念図である。同図に示す自分史作成支援システム１０は、各々のユーザが所有する画像を元に作成した自分史を、インターネット等のネットワーク１６を介して、他のユーザに公開（他のユーザと共有）するものであって、複数のユーザ通信端末１２ａ、１２ｂ、．．．（以下、代表的にユーザ通信端末１２ともいう）と、画像管理サーバ（自分史作成支援装置）１４とによって構成されている。
【００２４】  ユーザ通信端末１２は、自分史作成支援システム１０を利用する各々のユーザが使用するものであり、各々のユーザが所有する画像を、各々のユーザ通信端末１２ａ、１２ｂ、．．．からネットワーク１６を介して画像管理サーバ１４にアップロードしたり、画像管理サーバ１４で自動作成された自分史の情報を、ネットワーク１６を介して各々のユーザ通信端末１２ａ、１２ｂ、．．．にダウンロードしたり、各々のユーザが自分史の情報を閲覧および視聴等を行うためのものである。
【００２５】  ユーザ通信端末１２は、例えば、カメラのＧＰＳ（全地球測位システム）等の機能を有する携帯電話やスマートフォンなどのモバイル端末、あるいは、カメラやスキャナー等から画像（写真）の画像データを取り込んで編集や閲覧および視聴等を行う機能およびスピーカーとマイクを用いた音声機能を有するデスクトップＰＣ（パーソナルコンピュータ）、ノートＰＣ、タブレットＰＣ、会話型ロボット、ＡＩスピーカー等である。ユーザ通信端末１２は、ネットワーク１６を介してユーザ通信端末１２と画像管理サーバ１４との間で画像のアップロード、自分史の情報の閲覧と視聴および編集とダウンロードを行う通信機能を備えている。
【００２６】  一方、画像管理サーバ１４は、各々のユーザ通信端末１２ａ、１２ｂ、．．．からネットワーク１６を介してアップロードされた画像の画像解析処理を行い、画像解析処理の結果に基づいて各々の画像から年表作成と文章生成を行うものであり、図２に示すように、画像保存部１８と、画像解析部２０と、年表作成部２２と、文章生成部２４と、人物登録部２６とを備えている。
【００２７】  画像保存部１８は、各々のユーザ通信端末１２ａ、１２ｂ、．．．からネットワーク１６を介してアップロードされた、ユーザが所有する画像（つまり、紙焼き写真をデジタル化したものを含む、デジタルの画像データ）を保存するものである。
【００２８】  画像解析部２０は、各々の画像に対して複数の画像解析処理を実施し、各々の画像に対する各々の画像解析処理の結果にスコアを付け、複数の画像解析処理の結果のスコアの組合せスコアを算出するものである。画像解析部２０は、画像保存部１８に保存された各々の画像に対して画像解析処理を実施してもよいし、あるいは、例えば、ユーザ通信端末１２のカメラ機能により撮影された各々の画像等に対して画像解析処理を実施する場合もある。
【００２９】  人物登録部２６は、自分自身が撮影された画像を利用して自分史を作成したい人物（ユーザ）を登録するものである。
【００３０】自分自身が撮影された画像を利用して自分史を作成したくない人物を人物登録部２６に登録してもよいし、自分史を作成したい人物と自分史を作成したくない人物の両方を人物登録部２６に登録してもよい。
【００３１】  年表作成部２２は、画像解析部２０による各々の画像に対する各々の画像解析処理の結果、および、人物登録部２６に登録された人物（登録人物）の情報に基づいて、各々の画像から年表作成をおこなうものである。
年表作成部２２は、画像保存部１８に保存された各々の画像から年表作成をしてもよいし、あるいは、例えば、ユーザ通信端末１２のカメラ機能により撮影された各々の画像等から年表作成をする場合もある。
【００３２】  年表作成部２２は、本実施形態の場合、画像解析処理の結果、人物登録部２６に登録された人物が撮影された画像から年表を作成する。一方、自分自身が撮影された画像を利用して年表を作成したくない人物が人物登録部２６に登録されている場合、年表作成部２２は、画像解析処理の結果、人物登録部２６に登録された人物が撮影された画像を年表作成に利用しないようにする。
【００３３】  文章生成部２４は、年表作成部２２による年表作成で利用した各々の画像から画像解析部２０による各々の画像解析処理の結果に基づいて、文章の生成をおこなう。
【００３４】  次に、自分史作成支援システム１０の概略動作について、本発明の自分史作成支援方法に従って説明する。
【００３５】  図１および図２に示す自分史作成支援システム１０では、各々のユーザが所有する画像が、各々のユーザが使用するユーザ通信端末１２ａ、１２ｂ、．．．からネットワーク１６を介して画像管理サーバ１４にアップロードされる。
【００３６】  画像管理サーバ１４では、各々のユーザ通信端末１２ａ、１２ｂ、．．．からアップロードされた画像が画像保存部１８に保存される。
【００３７】  そして、画像解析部２０により、画像保存部１８に保存された各々の画像に対して複数の画像解析処理が施され、年表作成部２２により、画像解析部２０による各々の画像に対する画像解析処理の結果、および、人物登録部２６に登録された人物の情報に基づいて、画像保存部１８に保存された各々の画像を利用した年表が作成される。
【００３８】  その後、年表作成部２２による年表作成で利用した各々の画像から画像解析部２０による各々の画像解析処理の結果に基づいて、文章の生成をおこなう。
【００３９】  自分史作成支援システム１０では、各々の画像に対して複数の画像解析処理を実施した結果に基づいて、各々の画像から年表作成と文章生成を自動的におこなうため、ユーザが各々の画像の確認をおこなう手間を省くことができる。
【００４０】  次に、画像解析部２０で実施される画像解析処理について説明する。
【００４１】  画像解析部２０では、図３に示すように、例えば、顔検出処理、年齢判定処理、表情判定処理、背景判定処理、行動判定処理の複数の画像解析処理が実施される。
【００４２】  顔検出処理は、画像の中に含まれるあらかじめ登録された人物の顔（顔領域）の大きさの人物比率を検出する処理である。例えば、図５に示すように、画像に自分一人だけが撮影されている場合は１００％、二人並んで撮影されている場合は５０％となる。画像解析部２０は、顔検出処理の結果、例えば、画像に含まれる顔の大きさの人物比率が規定より大きい場合に年表作成に適した画像であると判断し、評価スコアを高くして年齢判定処理をおこなう。
【００４３】  年齢判定処理は、例えば、性別や人種別にあらかじめ学習済みの顔画像の年齢基準データとの相関値に基づいて年齢を推定するものとする。画像解析部２０は、年齢判定処理として、推定年齢の精度により評価スコアが決まる。顔画像の鮮明化処理と登録された人物の年齢が明確な複数枚の顔画像を追加学習させることで、例えば、老け顔や童顔などの個人差による年齢差を補正して推定年齢の精度を改善することが好ましい。
【００４４】  なお、追加学習される顔画像は、年齢スコアが高くなるように３枚以上の枚数で１０歳以上の年齢差であることが好ましい。
【００４５】表情判定処理は、各々の画像の人物の表情に基づいて、例えば、表情が笑いや悲しみや怒りや驚き等に表情分類（グルーピング）する処理であり、表情との関連性が強いほど評価スコアを高めるようにする。
【００４６】背景判定処理は、各々の画像の人物の背景に基づいて、例えば、背景を海や山や温泉やランドマーク等に背景分類（グルーピング）する処理であり、分類された背景に対して関連性が強いほど評価スコアを高めるようにする。
【００４７】行動判定処理は、各々の画像の人物の行動に基づいて、例えば、人物がドライブやサーフィンやゴルフ等に行動分類（グルーピング）する処理であり、分類された行動に対して関連性が強いほど評価スコアを高めるようにする。
【００４８】画像解析部２０は、背景分類処理および行動分類処理の結果、例えば服装なども含めて類似画像枚が多い背景や行動をまとめて補足に必要な画像と判断し、一括して年表作成と文章生成に利用する画像とする。
【００４９】  上記の各画像解析処理は従来公知のものであり、本発明においても従来公知の各画像解析処理方法を利用することができるため、その詳細な処理方法についての記載は省略する。また、画像解析部２０は、上記以外の画像解析処理を実施してもよい。
【００５０】  画像解析部２０では、図３に示すように、顔検出処理、年齢判定処理、背景判定処理、行動判定処理の各画像解析処理の結果に基づいて、それぞれ、顔スコア、年齢スコア、表情スコア、背景スコア、行動スコアの複数の画像解析処理の結果のスコアの組合せスコアが算出される。
【００５１】  なお、各画像解析処理の結果のスコアに対して所定の重み付け係数を乗算した結果を足し合わせて組合せスコアを算出してもよい。本実施形態では、顔重み付け係数＝２．０、年齢重み付け係数＝１．０、表情重み付け係数＝１．０、背景重み付け係数＝１．５、行動重み付け係数＝１．５として、下記式（１）により組合せスコアが算出される。
【００５２】組合せスコア＝顔スコア＊顔重み付け係数＋年齢スコア＊年齢重み付け係数＋表情スコア＊表情重み付け係数＋背景スコア＊背景重み付け係数＋行動スコア＊行動重み付け係数．．．（１）
【００５３】  ここで、画像解析部２０による各画像解析処理の結果の一例を下記表１に示す。表１には、画像Ａ，Ｂ，Ｃ，Ｄ，．．．について、顔スコア、年齢スコア、表情スコア、背景スコア、行動スコア、組合せスコアの結果、類似画像判定の結果．．．が示されている。  表１の例では、各画像解析処理の結果から上記式（１）によりスコアが算出され、組合せスコアは高い方から順に画像Ａ，Ｃ，Ｂ，Ｄとなっている。
【００５４】
【表１】
2019135636.tif 000003
【００５５】  次に、年表作成部２２による各々の画像を利用した年表の作成について説明する。
【００５６】  年表作成部では、例えば、顔検出処理の結果、年齢判定処理の結果、画像解析部２０による各画像解析処理の結果、および人物登録部に登録されたユーザの生年月日の情報に基づいて、画像保存部１８に保存された各々の画像を利用して年表が作成される。
【００５７】  表１の例において、年表作成部２２は、組合せスコアが４５０点以上である場合に、その画像を年表作成に利用すると決定する場合、組合せスコアが５８３点の画像Ａと４６６点の画像Ｃ、画像Ａの類似画像である画像Ｄを年表作成に利用すると決定する。
【００５８】  次に、文章生成部２４による各々の画像を利用した文章の生成について説明する。
【００５９】  文章生成部では、例えば、顔検出処理の結果、年齢判定処理の結果、画像解析部２０による各画像解析処理の結果、および人物登録部に登録されたユーザの生年月日の情報に基づいて、画像保存部１８に保存された各々の画像を利用して文章が生成される。
【００６０】  表１の例において、文章生成部２４は、組合せスコアが４５０点以上である場合に、その画像を文章生成に利用すると決定する場合、組合せスコアが５８３点の画像Ａと４６６点の画像Ｃ、画像Ａの類似画像である画像Ｄを文章生成に利用すると決定する。
【００６１】  なお、組合せスコアの所定値を何点にするかは任意である。
【００６２】  さらに、画像解析部２０で人物認識処理を実施して各々の画像に撮影された人物を認識することにより、年表作成部２２と文章生成部２４は、人物認識処理の結果に基づいて、人物登録部２６にあらかじめ登録された人物が撮影された画像を利用して年表の作成や文章の生成をすることもできる。逆に、登録された人物が撮影された画像を年表の作成や文章の生成に利用しないこともできる。
【００６３】  また、年表作成部と文章生成部は、各々の画像の利用を、３段階以上の設定決定にしてもよい。
【００６４】  また、年表作成部と文章生成部は、各々の画像の利用の設定を、不特定多数の人物に自分史を公開する一般用、画像に撮影されているあらかじめ登録された人物（家族など）にのみ自分史を公開する家族用、ユーザ専用の自分史とする個人用の３段階の設定で使用する場合、組合せスコアが高得点の画像（組合せスコアが第１の所定値以上の画像）を一般用、中得点の画像（組合せスコアが第１の所定値〜第２の所定値（第１の所定値＞第２の所定値）の画像）を家族用、低得点の画像（組合せスコアが第２の所定値以下の画像）を個人用に設定すると決定することができる。
【００６５】  なお、上記実施形態では、画像管理サーバ１４が、画像保存部１８、画像解析部２０、年表作成部２２、文章生成部２４、人物登録部２６等を備えているが、これに限定されず、例えば、画像保存部１８、画像解析部２０、年表作成部２２、文章生成部２４、人物登録部２６等は、ユーザ通信端末１２に実装されていてもよいし、ユーザ通信端末１２や画像管理サーバ１４以外の他の装置、サーバ等に備えられていてもよい。
【００６６】年表作成部と文章生成部で作成された自分史を、ユーザ通信端末１２を経由して公開した場合、ユーザ通信端末１２のカメラ機能で撮影した人物が人物登録部２６に登録されている家族と一致した場合、撮影日が誕生日などの登録された記念日と一致した場合、ユーザ通信端末１２のＧＰＳ機能で現在位置が画像保存部に保存されている画像の撮影場所に一致または近づいた場合、現在の日付が記念日に近づいた場合に、ユーザ通信端末１２を通じてユーザに通知して、ユーザ端末１２から必要に応じて自分史の編集や新規追加を行うことができる。
【００６７】  本発明の自分史作成支援方法は、例えば、自分史作成方法の各々のステップをコンピュータに実行させるためのプログラムにより実施することが可能である。このプログラムは、例えば、コンピュータ読み取り可能な記録媒体に記録して提供することができる。
【００６８】  本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【００６９】１０  自分史作成支援システム
１２  ユーザ通信端末
１４  画像管理サーバ
１６  ネットワーク
１８  画像保存部
２０  画像解析部
２２  年表作成部
２４  文章生成部
２６  人物登録部
【図１】
2019135636.tif 000004
【図２】
2019135636.tif 000005
【図３】
2019135636.tif 000006
【図４】
2019135636.tif 000007
【図５】
2019135636.tif 000008
【図６】
2019135636.tif 000009